(57)【要約】      （修正有）【課題】加工燃料が容易かつ迅速に点火することが出来、しかも、容易に交換できるペレットストーブの点火装置を提供する。【解決手段】燃焼室１に設けられた点火筒１０あるいは点火皿は、点火材１３を縦方向に差込める空孔１１を複数有し、その他に、燃焼炎が吹き出る空孔１２を有し、また、底部には吸気のための通気孔１４を有している。点火筒を例にとると、点火筒１０の側辺に縦長に明けられた空孔１１に、点火材１３（たきつけ材）を数個縦に差し込み、マッチ、ライター、電熱等で点火する。点火後、点火材の炎は点火筒内に充填されたペレット１５に燃え移り、やがて側辺に明けられた空孔１２より炎が吹き出る。その炎は点火筒周辺のロストル９上に充填されたペレットに燃え移り、それが燃焼室全体に広がる。燃焼室全面に炎が広がったことを確認して、ストーブ上部に設置されたホッパー３からバルブ４を通してペレットを望ましい火力に合わせ追加供給する。【選択図】図１
0003160278.tif 000002
【実用新案登録請求の範囲】
【請求項１】
燃焼室に設けられる点火燃焼筒で、点火燃焼筒には点火たきつけ材を縦状に差し込める空孔を数カ所有し、かつ、点火燃焼筒内に差し込まれた点火材の上部に充填された加工燃料木質ペレットの着火後に発生する燃焼炎を点火燃焼筒外部に向けて自然に吹き出すことが可能な数カ所の空孔を有し、点火燃焼筒の周辺に充填された加工燃料に燃焼炎が容易に燃え移ることを可能とした特徴をもつ点火装置。
【請求項２】
請求項１に示した点火装置を設けた木質ペレット燃焼装置。
【考案の詳細な説明】
【技術分野】
【０００１】
この発明は、ペレットストーブ内のペレットに容易に点火し、かつ、着火後は燃焼室内のペレット燃焼を持続できる点火装置に関する。
【背景技術】
【０００２】
従来のペレットストーブの点火法は、燃焼筒にペレットを充填し、その上に点火材を置き、ペレット上部から点火する方法をとっている（例えば、非特許文献１，２参照）。
【０００３】
従来の燃焼筒でペレットの上方から点火する方法は、点火材の火炎が点火材の下のペレットに燃え移るためには時間を要し、簡便かつ迅速に点火が行えない。
【先行技術文献】
【非特許文献】
【０００４】
【非特許文献１】株式会社ホンマ製作所  YSP-650  ペレット専用丸型ストーブカタログ
【非特許文献２】旭設備有限会社  サンストーブシリーズD-2縦型木質ペレットストーブカタログ
【考案の概要】
【考案が解決しようとする課題】
【０００５】
以上に述べたペレットストーブの点火装置では、燃焼筒内のペレットの上方に点火材を置き、この点火材にマッチ、ライター、電熱等により点火し、下方のペレットに燃え移らせる方式をとっている。この方式ではペレットの下部まで燃え広がるために時間を要し簡便かつ迅速ではない。
【０００６】
本発明の課題は、このような従来の方式が有していた問題点を解決しようとするものであり、ペレットの点火と燃焼を簡便かつ迅速化を実現することを目的とするものである。
【課題を解決するための手段】
【０００７】
ペレットストーブ図１の燃焼室１に小型の点火燃焼筒（以下点火筒）１０（図２）あるいは点火燃焼皿（以下点火皿）１８（図３）を設け、点火筒あるいは点火皿に縦に差し込まれた点火材（例として厚さ約１０ｍｍ、幅約３０mm、長さ約５０ｍｍ）に、マッチ、ライター、電熱等により点火し、点火筒あるいは点火皿中の点火材の周辺あるいは上方に置かれたペレット１５に着火せしめる。
【０００８】
点火筒あるいは点火皿は、点火材１３を縦方向に差し込める空孔１１（幅約１０mm、高さ５０ｍｍ）を複数個有し、そのほかに燃焼炎が吹き出る空孔１２を有している。また、底部には吸気のための通気口１４を有している。
【０００９】
点火筒あるいは点火皿の大きさ（サイズ）は、これを設けるペレットストーブの燃焼室の大きさ及び構造に適したサイズを選ぶことが出来る。
一例として取り扱いの容易なサイズは、点火筒では直径約５０ｍｍ、高さ約８０ｍｍ、点火皿では直径約１００ｍｍ、高さ約３０ｍｍである。
【００１０】
着火したペレット１５の燃焼炎は、点火筒の横穴あるいは点火皿の上方から周囲に充填されたペレット１６に燃え移る。
点火筒あるいは点火皿の周辺に充填されたペレット１６の全面に炎が回った時に、上部に置かれたホッパー３から、バルブ４を通してペレットを燃焼室に追加供給する。
【００１１】
ストーブの燃焼状態は、ペレット供給量、入気量によりコントロール出来る。
【考案の効果】
【００１２】
このように、請求項１に記載のペレットストーブの点火装置では、加工燃料に容易かつ迅速に点火することが出来、しかも、点火筒あるいは点火皿の交換も容易かつ迅速に可能である。
【００１３】
また、次回の点火のため、スペアーの点火筒あるいは点火皿に点火材とペレットを予め入れて準備しておくことも便利で可能である。  
【００１４】
点火装置は耐熱金属板、ステンレス板、ステンレス製金網、陶器、耐熱ガラス等で製作することが出来る。
【図面の簡単な説明】
【００１５】
【図１】本発明の点火装置を設けたペレットストーブの横方向から見た外観図である。
【図２】ペレット点火筒の横方向から見た構造図である。
【図３】ペレット点火皿の横方向から見た構造図である。
【実施例１】
【００１６】
図１には、本発明に係る点火装置１０が、設置されたペレットストーブの側方外観図により示されている。また、図２には、点火装置に用いられる点火筒と、図３には点火皿の構造図が示されている。
【００１７】
ペレットストーブ図１の燃焼室１に小型の点火燃焼筒（以下点火筒）１０（図２）あるいは点火燃焼皿（以下点火皿）１８（図３）を設け、点火筒あるいは点火皿に縦に差し込まれた点火材（例として厚さ約１０ｍｍ、幅約３０mm、長さ約５０ｍｍ）に、マッチ、ライター、電熱等により点火し、点火筒あるいは点火皿中の点火材の周辺あるいは上方に置かれたペレット１５に着火せしめる。
【００１８】
ペレットストーブ図１は燃焼室１を有している。燃焼室の上部には、燃料タンクとされる取り外し可能なホッパー３が配設されている。このホッパー３の内部には、加工燃料である木質ペレットが貯蔵されている。
【００１９】
ホッパー３の下方には、バルブ４が設けられており、ストーブの燃焼室１に、必要な火力燃焼度に合わせた適量のペレットを供給できる。
【００２０】
ストーブ図１の燃焼室１の下部に設けられたロストル９の上に、本発明の点火装置である点火筒１０（図２）あるいは点火皿１８（図３）を設置する。点火筒あるいは点火皿は予め空孔１１が数カ所明けられており、その空孔に点火材１３（商品名たき付け材）を３〜５本差し込んでおく。
【００２１】
次に点火筒１０あるいは点火皿１８に差し込まれた点火材１３の、上部及び側部にペレット１５を充填し、マッチ、ライター、電熱等により、点火材１３が点火筒の空孔１１からはみ出した部分に点火する。
【００２２】
点火装置として点火筒を用いた実施例では、点火材１３の燃焼炎は点火筒の１０の内部まで達し、点火筒内に充填されていたペレット１５に燃え移る。
【００２３】
その後点火筒周辺の空孔１２から炎が上方に吹きだし、続いて、点火筒周辺のロストル９上に充填されていたペレット１６に、炎が燃え広がり燃焼室１全体でペレットは燃焼する。
【００２４】
ストーブの側面に設けられた、点火装置の設置及び燃焼状態観察のための扉口６から、燃焼室内を観察して、適当な燃焼状態を保持するため、必要な燃料ペレットをホッパー３より燃焼室１に補給する。
【００２５】
ストーブの火力調節は、ホッパー３の下方に設けたバルブ４によりペレット供給量を調節すると共に、吸気口８の調整により行うことが出来る。
【００２６】
点火燃焼筒をペレット燃焼装置の燃焼室１の内寸法近くまで大型化することが出来る。大型化された点火装置も簡便に交換可能な構造に製作できる。
【００２７】
大型の点火燃焼筒は（００１０）に記した点火筒１０と同様に下部には空孔１１が数カ所明けられており、その空孔に点火材１３を縦に３〜５本差し込んでおく。
【００２８】
次ぎに点火燃焼筒１０に差し込まれた点火材１３の、上部及び側部にペレット１５を約５０ｍｍの高さに充填し、マッチ、ライター、電熱等により、点火材１３が点火筒の空孔１１からはみ出した部分に点火する。
【００２９】
その後点火燃焼筒１０の全面に燃焼炎が広がったことを、観察扉口６で確認して、ホッパー３の下方に設けたバルブ４によりペレットの必要量を徐々に点火燃焼筒に供給する。
【００３０】
点火燃焼筒の形状とサイズは燃焼装置の構造に合わせ円筒の他多角形でも可能である。
【００３１】
大型の点火燃焼皿としては、底板の無い枠型で製作することも可能である。
【００３２】
この大型の点火燃焼皿の外枠は高さ約５０ｍｍで（００１０）に記した点火皿１８と同様に、点火たきつけ材１３を縦方向に差し込める空孔１１または切り欠きを複数個有する。
【００３３】
この場合ロストル９の間隙はペレットが通過落下しない程度であることが必要である。
【００３４】
点火法に関しては、大型の点火燃焼筒について記した（００２８）（００２９）（００３０）に準じて同様である。
【００３５】
燃焼灰は灰取り出し口７より排出する。
【００３６】
本発明のペレット点火装置の材質は、耐熱金属板、ステンレス板、ステンレス金網、陶器、耐熱ガラス等で製作することが出来る。
【符号の説明】
【００３７】
２    ２次燃焼室
５    排煙筒
１４  通気孔
１７  連結孔
１８  点火皿
１９  断熱材
【図１】
0003160278.tif 000003
【図２】
0003160278.tif 000004
【図３】
0003160278.tif 000005